(57)【特許請求の範囲】
【請求項１】
複数の柱及び梁からなる複数階の建物の四隅に上下方向を向く吹抜けが設けられ、該吹抜けを囲う４本の柱の隣接する柱間に各階ごとに鉄骨梁がそれぞれ配置され、該鉄骨梁は長手方向の中央部から２つに分断されて、該分断された部分に小耐力部材が着脱可能に接合され、該小耐力部材に連続する前記鉄骨梁の部分は、外周がＰＣ版により包囲されるとともに、内部に高強度モルタルが充填されて鉄骨梁とＰＣ版とが一体化されていることを特徴とする建物の制振構造。
【発明の詳細な説明】
【０００１】
【発明の属する技術分野】
本発明は、鉄骨梁を用いた建物の制振構造に関し、特に建物外観の意匠性を兼用した制振構造に関する。
【０００２】
【従来の技術】
従来、建物の制振構造の代表的なものとしては、Ｙ形ブレース（特公昭５０−３２５３９号公報参照）や制振間柱（特開昭５−２８７９３３号公報参照）などが知られている。いずれも、地震の発生時に、それらに組込まれる小耐力部材（以下リンクと称する）を早期に降伏させることにより、地震による振動エネルギをこれらの部材の塑性エネルギに変換ことで振動応答を抑え、建物に制振効果を付与するものである。
【０００３】
しかしながら、Ｙ形ブレース及び間柱は、上下の梁間に組み込まれるものであるため、出入口や通路などの開口部の平面計画と、Ｙ形ブレースまたは間柱の配置計画とを両立させることができないという課題がある。加えてこれら制振部材は建物架構全体の剛性に比べてその剛性が著しく低く、通常の建物で大きな制振効果を期待するためには、多数を組み込む必要があるため、ますます平面計画を阻害する原因となる。
【０００４】
そこで、本出願人は、先に鉄骨梁の長さ方向の一部をリンクによって代替することを提案した。これによれば、上下の梁間に組み込まれるものではないため、開口部の平面計画及び制振構造の配置計画を容易に行うことができる。
【０００５】
また、リンクを溶接などによって鉄骨梁に接合した場合には、地震後のメンテナンスのなどの負担が大きいため、本出願人は、前記小耐力部材と鉄骨梁との間を接続プレートを介して連結するとともに、接続プレートに開口された複数のボルト挿通孔にボルトを挿通し、他端にナットをねじ込むことで前記梁と小耐力部材とを接合した構造を開発した。
【０００６】
この構造によれば、地震によってリンクが変形を受けた後は、ボルトを取外すことによって該当するリンク部材を撤去し、新たに作られた、あるいは交換部品として予め保管されている同一寸法、同一仕様のリンクを梁の間にセットし、接続プレートを介して再度ボルトナットで締結結合することで、復旧が完了する。
【０００７】
【発明が解決しようとする課題】
この種の梁においては、リンクに応力を集中させることが必要であり、そのためにはリンク周囲の剛性を高める必要があるが、鉄骨の板厚を増したり、梁背を大きく取ったり、ボックス型などに形成したりすると、断面向上に伴う鉄骨量の増加により施工コストが高くなる。
【０００８】
また、リンクの配置箇所はその性質上、当該リンク部材の配置部位では鉛直荷重を負担しない構造とし、かつリンク部材の交換等のメンテナンスが容易に行い得る部位であることが望ましく、このような部位としてゴンドラなどを用いて復旧工事が容易に行える吹き抜けが挙げられる。
【０００９】
しかし、吹き抜け部分に当該リンクを配置すると、鉄骨梁がむき出しの状態で露出して絶えず目に触れることになるので、塗装などのメンテナンスを定期的に行う必要が生じるだけでなく、外観的には未完成であるような感じを抱かせてしまい易く、意匠性の面で問題がある。
【００１０】
本発明は、以上の問題に鑑みなされたものであって、その目的は、リンク周囲の梁材の鉄骨量を増すことなく、剛性の向上が図れるとともに、外観、意匠性の向上が図れる建物の制振構造を提供するものである。
【００１１】
【課題を解決するための手段】
以上の目的を達成するため、本発明の請求項１に係る発明は、複数の柱及び梁からなる複数階の建物の四隅に上下方向を向く吹抜けが設けられ、該吹抜けを囲う４本の柱の隣接する柱間に各階ごとに鉄骨梁がそれぞれ配置され、該鉄骨梁は長手方向の中央部から２つに分断されて、該分断された部分に小耐力部材が着脱可能に接合され、該小耐力部材に連続する前記鉄骨梁の部分は、外周がＰＣ版により包囲されるとともに、内部に高強度モルタルが充填されて鉄骨梁とＰＣ版とが一体化されていることを特徴とする。
【００１２】
本発明による建物の制振構造によれば、建物に地震エネルギーが入力すると、小耐力部材が塑性変形することにより地震エネルギーが吸収され、建物が制振される。
【００１３】
また、地震エネルギーを吸収することによって変形した小耐力部材は、建物の吹抜けにゴンドラ等を用いることにより、修理、交換等のメンテナンスを容易に行うことができる。
【００１４】
さらに、小耐力部材に連続する鉄骨梁の部分はＰＣ版により包囲されているので、外観的に未完成であるような感じを抱かせることはなく、外観、意匠性を高めることができる。
【００１５】
さらに、ＰＣ版の内部には高強度モルタルが充填されているので、その部分の剛性を高めることができ、地震エネルギーが入力する際に、小耐力部材に応力を集中させることができ、地震エネルギーを効率良く吸収することができる。さらに、鉄骨量を増すことなく、小耐力部材に連続する鉄骨梁の部分の剛性を高めることができるので、施工コストを安くすることができる。
【００１８】
【発明の実施の形態】
以下、本発明の好適な実施の形態を添付図面を参照して説明する。図１〜図３は本発明にかかる制振構造を備えた高層の建物１を示し、この建物１は、平面的に見て四角形状であって、地上１６階、地下２階の高層建物であり、複数の柱２、及び梁３により建物架構が構成されている。
【００１９】
そして、この建物１は、各階の外側の梁３の隅角部に小耐力部材４であるリンク４を備え、その結果、建物の四隅に四角形状にリンク４を設けて、上下階方向に整列配置され、この配置箇所を吹抜け５とした特有の意匠的外観を構成している。
ここで、「リンク」とは、地震発生により建物架構に応力が発生すると、他の素材よりも早期に降伏して、応力が降伏耐力を上回ったときから、弾塑性挙動による履歴減衰性能を生じ、制振効果を発揮する小耐力の部材を言い、一般には「ダンパ」、あるいはその形状、機能から「ダブルカラムダンパ」等とも称されているが、いずれも同一機能を発揮する部材である。
リンクの一例として、低降伏点鋼が挙げられる。推奨される低降伏点鋼としては、例えばＢＴ−ＬＹＰ１００またはＢＴ−ＬＹＰ２３５（ともに、新日本製鐵株式会社製の商品名）及びこれらの同等品を採用することができる。前者の降伏応力σｙは１．０ｔ／ｃｍ２、破断応力σｕは２．４ｔ／ｃｍ２であり、後者の降伏応力σｙは２．４ｔ／ｃｍ２、破断応力σｕは３．５ｔ／ｃｍ２である。
また、リンクの素材としては、前記低降伏点鋼のほかに、普通鋼材、アルミなどの金属を使用することもできる。
【００２０】
図４にその吹抜け部分の架構構造の詳細を示す。この構造において、リンク４の側面および断面形状は”王”の字状の形をなし、その両側フランジ６を梁３の接合端面に形成されたフランジ７部に結合し、ボルトナットを介して着脱可能に接合されている。
【００２１】
また、梁３のフランジ部７から連続する部位は、図５（ａ）の断面図に示すように、梁本体となる鉄骨梁を構成するＨ型鋼３ａの外周をＰＣ版８で包囲し、内部に高強度モルタル９を充填し、一体化することによって、ＰＣ版８で包囲された状態で柱２に連結し、これによってリンク４周囲における梁の剛性を確保している。同時に鉄骨むき出しによる意匠性及び耐久性の低下を防止している。
【００２２】
これに対し、リンク４は図５（ｂ）に示すようにむき出しのままの状態であって、必要に応じて直ちに着脱可能となるよう、そのフランジ６を前記ボルト１０を介して前記梁３のフランジ部７にねじ込んで締結結合している。
【００２３】
このため、建物１の各角部に形成された吹抜け５を囲う四本の梁３の各中央部分にリンク４が接続された形態となり、その両側部の梁本体は鉄骨がむき出しにはならず、リンクが一種のアクセントとなる意匠形状が形成されることになる。
【００２４】
以上の構成における建物１に地震エネルギーが入力されると、リンク４が地震エネルギーを吸収し、吹抜け部５における柱２と梁３との接合部にかかる応力を低減でき、柱２と梁３との接合部の破損を未然に防止する。
【００２５】
地震後はリンク４の変形度合を診断した後、必要があれば建物１の四隅部に支保工を組み、ゴンドラなどを介してリンク４の交換作業を行えば、建物の外観の主要部を覆い隠すことなく迅速に修復工事を行うことが出来る。
【００２６】
なお、リンク４の形状は、図４に図示した以外に、種々の形状を取り得ることが出来ることは勿論である。
【００２７】
【発明の効果】
以上、説明したように、本発明の建物の制振構造にあっては、鉄骨量を増やすことなく、小耐力部材に連続する鉄骨梁の部分の剛性を高めることができる。従って、施工費を安く抑えることができる。また、鉄骨梁の周囲がＰＣ版で包囲されているので、鉄骨梁がむき出しになるようなことはなく、建物としての外観及び意匠性を高めることができるとともに、耐久性を高めることもできる。さらに、吹抜けを囲む４本の柱の隣接する柱間に配置される鉄骨梁に小耐力部材が着脱自在に設けられているので、吹抜けを利用してゴンドラ等を用いることにより、地震エネルギーを吸収して変形した小耐力部材の修理、交換等のメンテナンスを容易に行うことができる。
【図面の簡単な説明】
【図１】本発明にかかる制振構造備えた建物の軸組図である。
【図２】図１のＡ−Ａ断面における梁伏図である。
【図３】同建物の外観パース図である。
【図４】本発明の要部を拡大して示す姿図である。
【図５】（ａ）は梁の断面図である。
（ｂ）はリンクの断面図である。
【符号の説明】
１  建物
２  柱
３  梁
３ａ  鉄骨梁（Ｈ型鋼）
４  リンク
８  ＰＣ版
９  高強度モルタル
【図１】
0003772415.tif 000002
【図２】
0003772415.tif 000003
【図３】
0003772415.tif 000004
【図４】
0003772415.tif 000005
【図５】
0003772415.tif 000006